(57)【要約】【課題】撮影画像の選択の負担を軽減する写真撮影装置等を提供する。【解決手段】写真撮影装置１は、ユーザを連写して複数の撮影画像を得る撮影部１１０と、複数の撮影画像に対して評価値を算出し、評価値に基づいて撮影画像を選択する画像選択部１２０と、選択された撮影画像によるユーザへの画像提供を行う画像提供部１３０と、を有する。画像提供部１３０は、上記画像提供として、選択された撮影画像からユーザの人物画像を抽出し、人物画像とコンテンツ画像２１とを合成した合成画像をユーザへ提供する。【選択図】図４
2019153912.tif 000002
【特許請求の範囲】
【請求項１】
ユーザを連写して複数の撮影画像を得る撮影部と、
複数の前記撮影画像について評価値を算出し、前記評価値に基づいて前記撮影画像を選択する画像選択部と、
選択された前記撮影画像によるユーザへの画像提供を行う画像提供部と、
を有することを特徴とする写真撮影装置。
【請求項２】
前記画像提供部は、前記画像提供として、
選択された前記撮影画像からユーザの人物画像を抽出し、前記人物画像とコンテンツ画像とを合成した合成画像をユーザへ提供することを特徴とする請求項１記載の写真撮影装置。
【請求項３】
前記画像選択部は複数の前記撮影画像を選択し、その際に前記撮影画像の撮影順の差を前記撮影画像の選択に用いることを特徴とする請求項１または請求項２記載の写真撮影装置。
【請求項４】
前記画像選択部は複数の前記撮影画像を選択し、
前記画像提供部は、ユーザに提供する画像の候補を複数表示し、前記候補の中からユーザによって選択された画像をユーザに提供することを特徴とする請求項１から請求項３のいずれかに記載の写真撮影装置。
【発明の詳細な説明】
【技術分野】
【０００１】
本発明は、写真撮影装置に関する。
【背景技術】
【０００２】
ユーザを撮影してその撮影画像をプリントする写真撮影装置は種々存在する。このような写真撮影装置では、所定色の背景板をバックにしてユーザを撮影することで、撮影画像からユーザの人物画像のみを抽出し、予め選択されたコンテンツ画像に合成（クロマキー合成）するサービスも行われている。
【０００３】
写真撮影装置では、ユーザが撮影時に動いたりカメラを見ていないことがあり、１ショットではそのシャッターのタイミングでベストな写真を撮影できない場合がある。そのため連写を行う写真撮影装置もあり、回転率を上げる、撮影自体に面白みを持たせることができる等の利点もある。
【０００４】
例えば特許文献１には、１回の撮影開始指示の入力により複数回連続してカメラ撮影を実行する写真シール自動販売機が記載されており、特許文献２には、被写体の連写撮影が行える写真撮影装置が記載されている。
【先行技術文献】
【特許文献】
【０００５】
【特許文献１】特開2002-245544号公報
【特許文献２】特開2003-101847号公報
【発明の概要】
【発明が解決しようとする課題】
【０００６】
しかしながら、上記のように連写を行う場合、撮影枚数が増えるため、その中から良い写真を探すのは難しく、ユーザの負担になり選ぶ時間もかかる。
【０００７】
本発明は上記の問題に鑑みてなされたものであり、撮影画像の選択の負担を軽減する写真撮影装置等を提供することを目的とする。
【課題を解決するための手段】
【０００８】
前述した課題を解決するための本発明は、ユーザを連写して複数の撮影画像を得る撮影部と、複数の前記撮影画像について評価値を算出し、前記評価値に基づいて前記撮影画像を選択する画像選択部と、選択された前記撮影画像によるユーザへの画像提供を行う画像提供部と、を有することを特徴とする写真撮影装置である。
【０００９】
本発明では、写真撮影装置が連写した多数の撮影画像の中から良い画像を自動で選択し、これによりユーザへの画像提供を行うので、ユーザは負荷無く良い画像を得ることができる。またプレイ時間も短縮され回転率も向上する。さらに、ユーザは撮影中に動きながら複数のポーズを試せるなど、連写機能を使用した新しい楽しみ方も提供できる。
【００１０】
前記画像提供部は、前記画像提供として、選択された前記撮影画像からユーザの人物画像を抽出し、前記人物画像とコンテンツ画像とを合成した合成画像をユーザへ提供することが望ましい。
本発明では、写真撮影装置が選択した撮影画像から付加価値の高い上記の合成画像を作成し、これをユーザに提供することが可能である。
【００１１】
前記画像選択部は複数の前記撮影画像を選択し、その際に前記撮影画像の撮影順の差を前記撮影画像の選択に用いることも望ましい。
近い時間に撮影した撮影画像ではユーザの表情やポーズにあまり変化がないので、ある撮影画像を選択した場合、その撮影画像から撮影順の離れた撮影画像をさらに選択することで、選択結果にユーザの表情やポーズ等のバリエーションを持たせることができる。
【００１２】
前記画像選択部は複数の前記撮影画像を選択し、前記画像提供部は、ユーザに提供する画像の候補を複数表示し、前記候補の中からユーザによって選択された画像をユーザに提供することも望ましい。
本発明では、ユーザに提供する画像（撮影画像や前記の合成画像など）の候補を複数表示し、そのなかからユーザによる選択を受付けることで、ユーザの好みに合った画像を提供することができる。
【発明の効果】
【００１３】
本発明により、撮影画像の選択の負担を軽減する写真撮影装置等を提供できる。
【図面の簡単な説明】
【００１４】
【図１】写真撮影装置１の外観を示す図。
【図２】写真撮影装置１のシステム構成を示す図。
【図３】制御装置１０のハードウェア構成を示す図。
【図４】写真撮影装置１の機能構成を示す図。
【図５】写真撮影装置１の処理の概略を示すフローチャート。
【図６】人物画像２２とコンテンツ画像２１の合成について説明する図。
【図７】選択画面２００の例。
【図８】画像選択処理の流れを示すフローチャート。
【図９】撮影画像１００の選択について説明する図。
【図１０】表示画面３００の例。
【発明を実施するための形態】
【００１５】
以下、図面に基づいて本発明の好適な実施形態について詳細に説明する。
【００１６】
（１．写真撮影装置１）
図１は本発明の実施形態に係る写真撮影装置１の外観を示す図であり、図２は写真撮影装置１のシステム構成を示す図である。
【００１７】
写真撮影装置１はユーザが中に入って撮影を行うボックス状の外観を有し、制御装置１０、表示部１１、課金部１２、撮影部１３、照明１４、プリンタ１５、プリント物取出口１７、背景板１８等を有する。背景板１８以外は、主に写真撮影装置１の前部（図１の左側に対応する）に設けられる。
【００１８】
制御装置１０は写真撮影装置１の内部に設けられ、写真撮影装置１の処理全体を制御する。
【００１９】
図３は制御装置１０のハードウェア構成を示す図である。図３に示すように、制御装置１０は、例えば制御部１０１、記憶部１０２、入力部１０３、通信制御部１０４等をバス等により接続して構成したコンピュータにより実現できる。但しこれに限ることなく、適宜様々な構成をとることができる。
【００２０】
制御部１０１はCPU、ROM、RAMなどから構成される。CPUは、記憶部１０２、ROMなどの記憶媒体に格納された制御装置１０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１０２、ROMなどからロードしたプログラムやデータを一時的に保持するとともに、制御部１０１が各種処理を行うために使用するワークエリアを備える。
【００２１】
記憶部１０２はハードディスクドライブやソリッドステートドライブ、フラッシュメモリ等であり、後述する処理に際し制御装置１０が実行するプログラム、プログラム実行に必要なデータ、OSなどが格納される。これらのプログラムやデータは、制御部１０１により必要に応じて読み出され実行される。記憶部１０２には後述するコンテンツ画像が複数格納されている。
【００２２】
入力部１０３は制御装置１０に各種の設定入力を行うものである。
通信制御部１０４はネットワーク等を介した通信を媒介する通信インタフェースであり、図示しないサーバ等との間で通信を行う。
【００２３】
図１、２の説明に戻る。表示部１１は、写真撮影装置１の入力部を兼ねたタッチパネル付ディスプレイ等により実現される。表示部１１は、ユーザの操作、選択に係る各種の画面を表示し、画面上でのユーザの指示入力等を受付ける。
【００２４】
課金部１２は、硬貨や紙幣の投入口、つり銭返却口、レシート取出口、レシートプリンタ等（不図示）を備え、ユーザからの課金やレシートの発行を管理する。
【００２５】
撮影部１３は、撮影窓の内側にカメラ等を設けたものである。カメラには例えば高解像度のデジタルカメラが用いられるが、これに限ることはない。
【００２６】
照明１４はユーザを撮影する際の照明である。照明１４は例えば白色の光を照射する面光源であり、撮影部１３の上部に設けられるが、これに限ることはない。
【００２７】
プリンタ１５は、画像をプリントするものであり、写真撮影装置１の内部に設けられる。画像をプリントしたプリント物はプリント物取出口１７に排出される。プリンタ１５の方式や設置台数等は特に問わない。
【００２８】
背景板１８は、写真撮影装置１の後部（図１の右側に対応する）に設けられ、ユーザの撮影時の背景となる。背景板１８は所定色のパネル等により構成される。
【００２９】
図４は写真撮影装置１の機能構成を示す図である。図４に示すように、写真撮影装置１は、撮影部１１０、画像選択部１２０、画像提供部１３０等を有する。
【００３０】
撮影部１１０は前記の撮影部１３に対応し、ユーザを撮影して撮影画像を得るものである。特に本実施形態では、ユーザの連写を行い１回の撮影で複数の撮影画像を得ることができる。
【００３１】
画像選択部１２０は、上記複数の撮影画像の中から好ましい撮影画像を選択するものである。本実施形態では各撮影画像について後述するように評価値を算出し、評価値に基づいて撮影画像を選択する。
【００３２】
画像提供部１３０は、上記選択された撮影画像によるユーザへの画像提供を行うものである。本実施形態では撮影画像からユーザの人物画像を抽出し、人物画像とコンテンツ画像２１とを合成した合成画像を出力してユーザに提供する。本実施形態では合成画像をプリンタ１５によってプリントすることでユーザへの画像提供を行うが、提供方法はこれに限らない。例えば合成画像をユーザの端末に送信できるようにしてもよい。
【００３３】
（２．写真撮影装置１の処理）
図５は写真撮影装置１の処理の概略を示すフローチャートである。図５の各ステップは、写真撮影装置１の制御装置１０が写真撮影装置１の各部を制御することにより実行される。
【００３４】
本実施形態では、まず写真撮影装置１が表示部１１に操作案内画面（不図示）を表示して撮影に係る操作案内を行うとともに、コンテンツ画像選択画面（不図示）を表示部１１に表示し、ユーザの人物画像と合成するコンテンツ画像２１の選択を受付ける（Ｓ１）。
【００３５】
写真撮影装置１は、課金を促す課金画面（不図示）を表示部１１に表示し、ユーザは課金部１２にて課金を行う。写真撮影装置１は、ユーザからの課金を受付ける（Ｓ２）と、照明１４を点灯させ撮影部１３によってユーザの撮影を行う（Ｓ３）。本実施形態では連写を行い１回の撮影で複数（例えば50枚）の撮影画像を得る。
【００３６】
ユーザの撮影を行うと、写真撮影装置１は、撮影画像のなかから好ましい画像を複数枚選択する（Ｓ４）。この画像選択処理については後述する。
【００３７】
写真撮影装置１は、図６に示すように選択した撮影画像１００のそれぞれからユーザの人物画像２２を抽出し（Ｓ５）、各人物画像２２をＳ１で選択されたコンテンツ画像２１と合成した複数の合成画像２３を作成する（Ｓ６）。人物画像２２の抽出は、撮影画像１００から背景板１８の色の領域ａを除く領域を抽出することにより行うことができる。コンテンツ画像２１では、人物画像２２をどの領域に合成するかがコンテンツ画像２１毎に予め定められている。
【００３８】
写真撮影装置１は、作成した複数の合成画像２３のなかからプリントする合成画像２３を選択するための選択画面を表示部１１に表示する（Ｓ７）。
【００３９】
図７はこの選択画面２００の例であり、図７の選択画面２００では、複数の合成画像２３が候補として選択可能に表示されるとともに、プリントを行うためのプリントボタン２０１が表示される。
【００４０】
ユーザは、選択画面２００にて合成画像２３の選択を行い、プリントボタン２０１にタッチする。すると、写真撮影装置１は選択された合成画像２３をプリントする（Ｓ８）。合成画像２３はユーザの端末等にダウンロードできるようにしてもよい。
【００４１】
プリントする合成画像２３は、１枚だけ選択できても、複数枚選択できてもよい。複数枚の合成画像２３を選択可能とする場合、それぞれの合成画像２３を１枚ずつプリントしてもよいし、複数枚の合成画像２３を１枚にまとめてプリントしてもよい。
【００４２】
（３．画像選択処理）
図８は前記のＳ４における画像選択処理の流れを示すフローチャートである。図８の各ステップは、写真撮影装置１の制御装置１０により実行される。
【００４３】
Ｓ４の画像選択処理において、写真撮影装置１はまずＳ３で撮影した各撮影画像１００の評価値を算出する（Ｓ４１）。
【００４４】
Ｓ４１では、例えば各撮影画像１００について、ユーザの「目線」、「表情」、「ポーズ」などの個別の項目の評価値を算出する。例えばこれらの項目についてその良し悪しを5点満点の評価値として算出し、これらの和をとった15点満点の全体評価値によって各撮影画像１００の評価を行う。
【００４５】
「目線」の項目の評価値は、例えばカメラ目線を高得点とすることができる。例えば既知の画像処理手法を用いて顔の向きを判別し、目線がカメラ（正面）を向いているとされた場合に高得点とする。
【００４６】
「表情」の項目の評価値は、例えば笑顔のものを高得点とすることができる。例えば既知の画像処理手法を用いた笑顔度の算出を行い、笑顔度が高い場合に高得点とする。
【００４７】
「ポーズ」の項目の評価値については、例えば予め定めた特定のポーズのものを高得点とする。例えば既知の画像処理手法を用いてユーザのポーズを判別し、上記特定のポーズとされた場合に高得点とすることができる。
【００４８】
これらの評価基準は、ガイダンス画面としてユーザの撮影前に表示部１１に表示することも可能である。例えば「目線」の項目についてカメラ目線を高得点とする場合、撮影前のガイダンス画面で「カメラ目線で撮影をお願いします」等のメッセージを表示させる。
【００４９】
また、これらの項目の評価値は、Ｓ１で選択されたコンテンツ画像２１に応じて算出してもよい。例えば「目線」の項目であれば目線がコンテンツ画像２１に応じた向きにある場合を高得点とする。「表情」や「ポーズ」の項目についても同様であり、コンテンツ画像２１に応じた特定の表情やポーズをとっている場合に高得点とすることができる。例えば前記した図６の例では、撮影画像１００におけるユーザの目線がコンテンツ画像２１中の所定の絵柄（図６の例では牛）の向きにあり、驚いた表情とポーズをとっている場合に高得点とされる。
【００５０】
次に、写真撮影装置１は、評価値に基づいて撮影画像の選択を行う（Ｓ４２）。
【００５１】
Ｓ４２では、例えば前記した全体評価値が所定点数以上の撮影画像１００を所定枚数選択する。例えば、全体評価値が10点以上の撮影画像１００を３枚選択する。
【００５２】
全体評価値が所定点数以上の撮影画像１００の枚数が、上記の所定枚数を超える場合は、全体評価値が所定点数以上の撮影画像１００のなかから追加の基準を用いて撮影画像１００を選択することができる。
【００５３】
図９（ａ）はこの場合の撮影画像１００の選択について説明する図であり、全体評価値が10点以上の３枚の撮影画像１００を選択する場合に、全体評価値が10点以上の撮影画像１００が４枚以上ある例である。また図９（ａ）では撮影画像１００を撮影順に順番（１〜７）を付けて並べている。
【００５４】
本実施形態では、このようなケースにおいて、例えば「全体評価値の高い順」にあるように、全体評価値が高いものを上から順に所定枚数選ぶことが可能である。あるいは、特定の項目（例えば「目線」など）の評価値が高い順に撮影画像１００を選択することも可能である。
【００５５】
また「撮影順を用いた選択」にあるように、撮影画像１００の撮影順を用いて撮影画像１００の選択を行うことも可能である。図の例では、全体評価値が10点以上の撮影画像のなかから、最も全体評価値の高い７番の撮影画像１００をまず選択し、次に７番の撮影画像からの撮影順の差aが最も大きくなる１番の撮影画像１００を選択する。
【００５６】
３枚目の撮影画像１００は、選択済みの１番、７番の撮影画像１００から最も撮影順の離れた撮影画像１００を選択する。例えば、選択済みの１番の撮影画像１００との撮影順の差b、７番の撮影画像１００との撮影順の差cのうちの最小値min(b,c)が最も大きくなる撮影画像１００を選択する。ここでは、４番の撮影画像１００について上記の最小値がmin(3,3)=3となり、５番の撮影画像１００について上記の最小値がmin(4,2)=2となるので、４番の撮影画像１００が３枚目の撮影画像１００として選択される。
【００５７】
一方、全体評価値が所定点数以上の撮影画像１００の枚数が、前記の所定枚数未満の場合、全体評価値が所定点数以上の撮影画像１００を選択するとともに、残りの撮影画像１００を、全体評価値が所定点数未満の撮影画像１００のなかから追加の基準を用いて選択することができる。
【００５８】
図９（ｂ）はこの場合の撮影画像１００の選択について説明する図であり、全体評価値が10点以上の３枚の撮影画像１００を選択する場合に、全体評価値が10点以上の撮影画像１００が３枚未満である例である。
【００５９】
本実施形態では、このようなケースにおいて、例えば「全体評価値の高い順」にあるように、全体評価値が10点以上の７番の撮影画像１００を選択した後、全体評価値が10点未満の撮影画像１００のなかから全体評価値の高い順に残りの２枚の撮影画像１００（図の例では２番と３番の撮影画像１００）を選択する。また前記と同様、特定の項目（例えば「目線」など）の評価値が高い順に撮影画像１００を選択することも可能である。
【００６０】
また「撮影順を用いた選択」にあるように、撮影画像の撮影順を用いて撮影画像１００の選択を行うことも可能である。図の例では、最も全体評価値の高い７番の撮影画像１００をまず選択し、前記と同様、次に７番の撮影画像１００からの撮影順の差が最も大きくなる１番の撮影画像１００を選択する。そして、選択済みの１番、７番の撮影画像１００から最も撮影順の離れた４番の撮影画像１００を選択する。
【００６１】
前記の選択画面２００（図７参照）で表示する合成画像２３には、合成画像２３の作成に用いた撮影画像１００についての全体評価値あるいは項目ごとの評価値に応じたコメントを表示してもよい。例えば全体評価値の高さに応じて「Very Good!!」や「Good!」などのコメントを合成画像２３に付して表示したり、「目線」の項目の評価値が高い場合、「目線がGood!」のようなコメントを付して表示したりすることができる。
【００６２】
また前記した全体評価値に代えて、例えば１つの項目（「目線」等）の評価値を画像選択に用いてもよい。あるいは、各項目の評価値を当該項目に応じて重み付けし、その重み付け和をとって全体評価値を算出してもよい。
【００６３】
以上説明したように、本実施形態によれば、写真撮影装置１が連写した多数の撮影画像１００の中から良い画像を自動で選択し、これによりユーザへの画像提供を行うので、ユーザは負荷無く良い画像を得ることができる。また、ユーザのプレイ時間も短縮され回転率も向上する。さらに、ユーザは撮影中に動きながら複数のポーズを試せるなど、連写機能を使用した新しい楽しみ方も提供できる。
【００６４】
また本実施形態では、写真撮影装置１が選択した撮影画像１００から付加価値の高い合成画像２３を作成し、これをプリント等によってユーザへ提供することが可能である。ただし、写真撮影装置１が選択した撮影画像１００をそのままプリント等によってユーザに提供することも可能である。この場合のフローも合成画像２３の作成に係る処理が省略される点を除いて前記と同様であり、例えば前記の選択画面２００（図７参照）では合成画像２３に代えて撮影画像１００が選択可能に表示される。
【００６５】
また本実施形態では撮影画像１００の撮影順の差を撮影画像１００の選択に用いることができる。すなわち、近い時間に撮影した撮影画像１００ではユーザの表情やポーズにあまり変化がないので、ある撮影画像１００を選択した場合、その撮影画像１００から撮影順の離れた撮影画像１００をさらに選択することで、選択結果にユーザの表情やポーズ等のバリエーションを持たせることができる。
【００６６】
また本実施形態では、ユーザに提供する画像（合成画像２３や撮影画像１００）の候補を選択画面２００で複数表示し、そのなかからユーザによる選択を受付けることで、ユーザの好みに合った画像を提供することができる。
【００６７】
しかしながら、本発明は上記の実施形態に限らない。例えば本実施形態では写真撮影装置１が複数枚の撮影画像１００を選択し、それぞれの撮影画像１００から作成した合成画像２３を選択可能にユーザに提示するが、ユーザによる選択を省略し、作成した合成画像２３を直接プリントしてもよい。
【００６８】
また、写真撮影装置１が１枚の撮影画像１００を選択し、当該撮影画像１００から作成した合成画像２３のみを提供してもよい。撮影画像１００は例えば全体評価値が最も高いものとする。図１０はこの場合に前記の選択画面２００に代えて表示する表示画面３００の例であり、ユーザは合成画像２３を確認したうえでプリントボタン３０１にタッチし当該合成画像２３のプリントを行う。あるいは、「自分で選ぶ」ボタン３０２にタッチすることで、前記の選択画面２００に移行してもよい。この場合、写真撮影装置１は前記のＳ４〜Ｓ６の処理を実行し直して選択画面２００を表示させる。
【００６９】
また、Ｓ３（図５参照）の撮影は複数回行ってもよく、例えば撮影を２回行う場合、１回目を練習、２回目を本番とし、２回目の撮影で得た撮影画像に対し前記の処理を行う。１回目の撮影画像について評価値を算出し、当該評価値に基づくアドバイスを２回目の撮影前に表示部１１に表示させてもよい。例えば「目線」の項目の評価値が全体的に低ければ、その評価値が高くなるよう、「カメラ目線でお願いします」等のアドバイスを表示部１１に表示させる。
【００７０】
また、１回目の撮影で所定点数以上の全体評価値を有する撮影画像１００が無かった場合等、撮り直しとして２回目の撮影を行ってもよい。２回目の撮影は１回目の撮影よりも長時間行い、より多数の撮影画像１００を得ることも可能である。
【００７１】
また、Ｓ４で選択した複数の撮影画像１００、または全体評価値の最も高い撮影画像１００とその前後の撮影順の撮影画像１００から複数の合成画像２３を作成し、これを撮影画像１００の撮影順につなげたアニメーションGIFのような動画データをユーザに提供することも可能である。
【００７２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１：写真撮影装置
１０：制御装置
１１：表示部
１２：課金部
１３：撮影部
１４：照明
１５：プリンタ
１７：プリント物取出口
１８：背景板
２１：コンテンツ画像
２２：人物画像
２３：合成画像
１００：撮影画像
１１０：撮影部
１２０：画像選択部
１３０：画像提供部
２００：選択画面
３００：表示画面
【図１】
2019153912.tif 000003
【図２】
2019153912.tif 000004
【図３】
2019153912.tif 000005
【図４】
2019153912.tif 000006
【図５】
2019153912.tif 000007
【図６】
2019153912.tif 000008
【図７】
2019153912.tif 000009
【図８】
2019153912.tif 000010
【図９】
2019153912.tif 000011
【図１０】
2019153912.tif 000012